(57)【要約】【課題】後処理機器をサポートする記憶デバイスを搭載していない場合であっても、用紙ジャムなどの発生に伴って印刷が再開される際、部の先頭からの印刷を行うこと。【解決手段】システム制御部１９２により、パネル部１７３を介し束排出の保障有りが設定された場合、たとえば印刷ジョブ（ジョブ）のデータサイズとメモリー容量管理部１８８が管理しているＲＡＭ１８５（メモリー）の残容量とを確認し、画像処理部１８７での画像処理による印刷データのサイズを、ＲＡＭ１８５（メモリー）の残容量より小さくなるように指定し、印刷処理が中断した際、ＲＡＭ１８５（メモリー）に記憶させた印刷データに基づき、画像形成部１２０に対して部の先頭からの印刷を行わせる。【選択図】図２
2017154376.tif 000002
【特許請求の範囲】
【請求項１】
印刷物の束排出が可能な後処理機器に対して前記印刷物を出力する画像形成装置であって、
メモリーと、
ジョブに対して画像処理したデータを前記メモリーに記憶させる画像処理部と、
印刷処理を行う画像形成部と、
前記後処理機器での後処理に必要な部数の指定に従い、前記画像形成部に対して印刷処理を制御するシステム制御部とを備え、
前記システム制御部は、
前記画像処理によるデータのサイズを指定し、
前記メモリーが記憶したデータに基づき、前記画像形成部に対して印刷を行わせる
ことを特徴とする画像形成装置。
【請求項２】
前記束排出の保障有り又は保障無しを設定するパネル部と、
前記メモリーの残容量を管理するメモリー容量管理部とを備え、
前記システム制御部は、
前記束排出の保障有りが設定された場合、前記ジョブのデータサイズと前記メモリーの残容量とを確認し、前記画像処理によるデータのサイズを、前記メモリーの残容量より小さくなるように指定し、
前記印刷処理が中断した際、前記メモリーに記憶させたデータに基づき、前記画像形成部に対して部の先頭からの印刷を行わせる
ことを特徴とする請求項１に記載の画像形成装置。
【請求項３】
前記束排出の保障有り又は保障無しを設定するパネル部と、
前記メモリーの残容量を管理するメモリー容量管理部とを備え、
前記システム制御部は、
前記束排出の保障有りが設定された場合、前記ジョブのデータサイズと前記メモリーの残容量とを確認し、前記画像処理によるデータのサイズを、前記メモリーの残容量に応じて指定し、
前記印刷処理が中断した際、前記メモリーに記憶させたデータに基づき、前記画像形成部に対して部の先頭からの印刷を行わせる
ことを特徴とする請求項１に記載の画像形成装置。
【発明の詳細な説明】
【技術分野】
【０００１】
本発明は、印刷物の束排出が可能な後処理機器に対して印刷出力する画像形成装置に関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、たとえば印刷機能、コピー機能、ＦＡＸ（Ｆａｃｓｉｍｉｌｅ）機能、ネットワーク経由でのデータ送受信機能などが搭載されている。また、画像形成装置においては、たとえば印刷出力と連携し、ステープル、紙折り、穴あけパンチなどの後処理を行うフィニッシャーなどの後処理機器の追加が可能である。
【０００３】
ところで、フィニッシャーを使用することで、複数部数に対するステープルなどの後処理を容易に行える。ところが、たとえば画像形成装置からフィニッシャー側への用紙の排出中などに用紙ジャムなどが発生すると、画像形成装置側での印刷処理が中断する。
【０００４】
この場合、感電や他の電子部品などへの損傷を考慮し、一旦、画像形成装置側の電源をオフにして用紙ジャムの発生した用紙を取り除く必要がある。なお、用紙ジャムの発生した用紙を取り除き、再度、電源をオンすることで、印刷が再開される。ところが、たとえば用紙ジャムの発生した用紙とともに、中間トレイに搬送された印刷済みの用紙が取り除かれていると、印刷中の部の先頭からの印刷のし直しが必要となる。
【０００５】
このような不具合を解消するものとして、特許文献１では、電源オフによって印刷を中断したジョブを大容量記憶デバイスに記憶しておき、電源オンによる継続印刷の場合は部の先頭からの印刷を行う画像形成装置を提案している。
【先行技術文献】
【特許文献】
【０００６】
【特許文献１】特開２００５−３２９６７７号公報
【発明の概要】
【発明が解決しようとする課題】
【０００７】
上述した画像形成装置では、大容量記憶デバイスにジョブを記憶しているので、用紙ジャムなどが発生し印刷が中断しても、部の先頭からの印刷を行うことができ、ステープルなどの後処理を指定通りに行うことができる。
【０００８】
ところで、画像形成装置によっては、フィニッシャーをサポートするＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）などの記憶デバイスを搭載していない機種がある。このような画像形成装置では、ＲＡＭ（Ｒａｎｄｏｍ  Ａｃｃｅｓｓ  Ｍｅｍｏｒｙ）などのメモリーの容量の制約から、ジョブの全ての印刷データを記憶させておくことができない。この場合、印刷に必要なページの印刷データをメモリーに記憶させておき、印刷が完了したら、そのページの印刷データを消去し、次の印刷に必要なページの印刷データをメモリーに記憶させて印刷する、という手順が繰り返される。
【０００９】
このようなことから、フィニッシャーをサポートする上述した記憶デバイスを搭載していない画像形成装置では、用紙ジャムなどの発生に伴って印刷が再開される際、中間トレイに搬送された印刷済みの用紙が取り除かれていると、印刷中の部の先頭からの印刷を行うことができないという問題がある。
【００１０】
本発明は、このような状況に鑑みてなされたものであり、上記問題点を解消することができる画像形成装置を提供することを目的とする。
【課題を解決するための手段】
【００１１】
本発明の画像形成装置は、印刷物の束排出が可能な後処理機器に対して前記印刷物を出力する画像形成装置であって、メモリーと、ジョブに対して画像処理したデータを前記メモリーに記憶させる画像処理部と、印刷処理を行う画像形成部と、前記後処理機器での後処理に必要な部数の指定に従い、前記画像形成部に対して印刷処理を制御するシステム制御部とを備え、前記システム制御部は、前記画像処理によるデータのサイズを指定し、前記メモリーが記憶したデータに基づき、前記画像形成部に対して印刷を行わせることを特徴とする。
また、前記束排出の保障有り又は保障無しを設定するパネル部と、前記メモリーの残容量を管理するメモリー容量管理部とを備え、前記システム制御部は、前記束排出の保障有りが設定された場合、前記ジョブのデータサイズと前記メモリーの残容量とを確認し、前記画像処理によるデータのサイズを、前記メモリーの残容量より小さくなるように指定し、前記印刷処理が中断した際、前記メモリーに記憶させたデータに基づき、前記画像形成部に対して部の先頭からの印刷を行わせることを特徴とする。
また、前記束排出の保障有り又は保障無しを設定するパネル部と、前記メモリーの残容量を管理するメモリー容量管理部とを備え、前記システム制御部は、前記束排出の保障有りが設定された場合、前記ジョブのデータサイズと前記メモリーの残容量とを確認し、前記画像処理によるデータのサイズを、前記メモリーの残容量に応じて指定し、前記印刷処理が中断した際、前記メモリーに記憶させたデータに基づき、前記画像形成部に対して部の先頭からの印刷を行わせることを特徴とする。
本発明の画像形成装置では、システム制御部により、画像処理部での画像処理によるデータのサイズを指定し、メモリーが記憶したデータに基づき、画像形成部に対して印刷を行わせることができる。
【発明の効果】
【００１２】
本発明の画像形成装置によれば、システム制御部により、画像処理部での画像処理によるデータのサイズを指定し、メモリーが記憶したデータに基づき、画像形成部に対して印刷を行わせるので、後処理機器をサポートする記憶デバイスを搭載していない場合であっても、用紙ジャムなどの発生に伴って印刷が再開される際、部の先頭からの印刷を行うことができる。
【図面の簡単な説明】
【００１３】
【図１】本発明の画像形成装置の一実施形態を説明するための図である。
【図２】図１のＭＦＰの内部構成の一例を示す図である。
【図３】図２のシステム制御部による印刷制御について説明するためのフローチャートである。
【発明を実施するための形態】
【００１４】
以下、本発明の画像形成装置の一実施形態を、図１〜図３を参照しながら説明する。なお、以下の説明においての画像形成装置の一例としては、たとえば印刷機能、コピー機能、ＦＡＸ（Ｆａｃｓｉｍｉｌｅ）機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。また、以下に説明するＭＦＰは、後述のフィニッシャーをサポートするＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）などの記憶デバイスを搭載していないものとする。
【００１５】
まず、図１に示すように、ＭＦＰ１００には、印刷出力と連携した後処理を行うフィニッシャー２００が連結されている。フィニッシャー２００の本体２１０には、搬送ローラー部２１１〜２１２、後処理部２２０、メイントレイ２２２が設けられている。搬送ローラー部２１１は、ＭＦＰ１００側から排出された後述の用紙１１１を引き込む。搬送ローラー部２１２は、搬送ローラー部２１１が引き込んだ用紙１１１を搬送路２１０ａに沿って後処理部２２０側に搬送する。
【００１６】
後処理部２２０は、ステープル、紙折り、穴あけパンチなどの後処理を行う。また、後処理部２２０は、ＭＦＰ１００側で印刷した後述の用紙１１１を順次収容する中間トレイ２２１を有している。それぞれの中間トレイ２２１には、たとえば１部毎に先頭ページから最終ページまでの印刷済みの用紙１１１である印刷物が収容される。そして、たとえばステープル処理された用紙１１１はメイントレイ２２２に束排出される。すなわち、束排出とは、たとえば印刷する枚数が２０ページで、部数がたとえば５部である場合、５つの中間トレイ２２１のそれぞれに１ページから２０ページまでの印刷済みの用紙１１１が収容され、それぞれの中間トレイ２２１でステープル処理された後、１部ずつ排出されることである。この場合、１ページから２０ページまでが１束とされる。
【００１７】
一方、ＭＦＰ１００の本体１０１の内部には、給紙部１１０、画像形成部１２０、搬送部１５０などが搭載されている。なお、符号１６０は用紙給紙部を示している。
【００１８】
給紙部１１０は、用紙サイズや用紙タイプの異なる様々な用紙１１１を収容できる複数の給紙カセット１１２ａ〜１１２ｄを収容する。なお、用紙タイプとしては、普通紙、ＯＨＰシート、プレプリント、再生紙、薄紙、厚紙、上質紙などを使用できる。また、それぞれの給紙カセット１１２ａ〜１１２ｄは、用紙１１１を持ち上げるリフト板１１３と、リフト板１１３の一端部側を押し上げる押し上げ部材１１４とを有している。押し上げ部材１１４がリフト板１１３の一端部側を押し上げると、用紙１１１の一端部側が本体１０１側の繰り出しローラー１５５に当接する。そして、繰り出しローラー１５５が用紙１１１を、それぞれの給紙カセット１１２ａ〜１１２ｄに設けられた共有搬送路１１０ａに１枚ずつ繰り出す。
【００１９】
画像形成部１２０は、プリンター部１２０Ａと定着部１３０とを有している。プリンター部１２０Ａは、図示しない感光体ドラム、現像装置、帯電装置、露光装置などを有する、画像形成ユニット（Ｍ）１２１、画像形成ユニット（Ｃ）１２２、画像形成ユニット（Ｙ）１２３、画像形成ユニット（Ｂ）１２４を備えている。画像形成ユニット（Ｍ）１２１はマゼンタ用であり、画像形成ユニット（Ｃ）１２２はシアン用であり、画像形成ユニット（Ｙ）１２３はイエロー用であり、画像形成ユニット（Ｂ）１２４はブラック用である。
【００２０】
また、プリンター部１２０Ａは、１次転写ローラー１２５ａ〜１２５ｄ、駆動ローラー１２６、従動ローラー１２７、中間転写ベルト１２８、２次転写ローラー１２９を有している。画像形成ユニット（Ｍ）１２１、画像形成ユニット（Ｃ）１２２、画像形成ユニット（Ｙ）１２３、画像形成ユニット（Ｂ）１２４は、印刷データに基づき、帯電、露光及び現像の工程により図示しない感光体ドラム上にトナー像を形成する。また、１次転写ローラー１２５ａ〜１２５ｄは、図示しない感光体ドラム上のトナー像を、駆動ローラー１２６及び従動ローラー１２７に張架されている中間転写ベルト１２８上に転写する。また、２次転写ローラー１２９は、用紙１１１の裏面側から圧接し、用紙１１１の表面側に中間転写ベルト１２８上のトナー画像を転写する。
【００２１】
定着部１３０は、加熱ローラー１３１と加圧ローラー１３２とを有している。加熱ローラー１３１は、図示しない熱源制御部によって制御される熱源からの熱を用紙１１１に与える。加圧ローラー１３２は、用紙１１１を加熱ローラー１３１側に押しつける。そして、定着部１３０は、駆動ローラー１２６と２次転写ローラー１２９とにより、トナー画像が転写された用紙１１１に対し、加圧ローラー１３２による圧と加熱ローラー１３１による熱を加える。これにより、用紙１１１にトナー画像が定着される。
【００２２】
搬送部１５０は、搬送ローラー部１５１〜１５４を有している。なお、それぞれの搬送ローラー部１５１〜１５４は、駆動ローラーと従動ローラーとを有している。搬送ローラー部１５１〜１５４は、共有搬送路１１０ａから排紙トレイ１６１まで延びる搬送路１５０ａ上に配置されている。なお、搬送ローラー部１５１〜１５２の間に、上述した画像形成部１２０が配置されている。そして、たとえばステープル処理が設定された場合、搬送ローラー部１５１〜１５４の駆動により、用紙１１１を共有搬送路１１０ａから搬送路１５０ａに沿って搬送し、フィニッシャー２００側に排出する。また、用紙１１１が搬送路１５０ａに沿って搬送される際、画像形成部１２０の２次転写ローラー１２９によりトナー画像が転写され、定着部１３０の加熱ローラー１３１及び加圧ローラー１３２によりトナー画像が定着される。
【００２３】
次に、図２を参照し、ＭＦＰ１００の制御系の構成の一例について説明する。ＭＦＰ１００は、スキャナー部１７０、画像形成部１２０、ＦＡＸ部１７１、Ｉ／Ｆ（インターフェース）１７２、パネル部１７３、ＨＤＤ１７４を制御する制御部１８０を備えている。
【００２４】
スキャナー部１７０は、イメージセンサ（図示省略）によって読み取られる、図示しない原稿の画像をデジタルの画像データに変換し、制御部１８０に入力するデバイスである。画像形成部１２０は、制御部１８０から出力される印刷データに基づき、用紙１１１上に画像を印刷するデバイスである。ＦＡＸ部１７１は、制御部１８０から出力されるデータを、電話回線を通じ相手方となるファクシミリへと送信し、また、相手方ファクシミリからのデータを受信して制御部１８０に入力するデバイスである。
【００２５】
Ｉ／Ｆ１７２は、社内ＬＡＮ（Ｌｏｃａｌ  Ａｒｅａ  Ｎｅｔｗｏｒｋ）やインターネットなどのネットワークを介し、他のユーザー端末、コンテンツサーバー、ウェブサーバーなどとの通信を受け持つネットワークインターフェースカードなどのデバイスである。パネル部１７３は、ＭＦＰ１００の印刷機能、コピー機能、ＦＡＸ機能、ネットワーク経由でのデータ送受信機能や、各種設定のための表示を行うタッチパネルなどのデバイスである。また、パネル部１７３は、フィニッシャー２００のステープル、紙折り、穴あけパンチなどの後処理の設定のための表示を行う。また、パネル部１７３は、たとえばステープル処理に伴う印刷出力において、部数の設定のための表示を行う。また、パネル部１７３は、印刷出力において、束排出の保障有り又は保障無しを設定するための表示を行う。なお、束排出の保障（以下、束保障という）とは、用紙ジャムなどによってＭＦＰ１００側での印刷処理が中断しても、束の先頭から印刷を再開できることを保障することである。ＨＤＤ１７４は、ＭＦＰ１００の種々の機能を提供するためのアプリケーションプログラムなどを記憶している記憶デバイスである。
【００２６】
制御部１８０は、画像形成プログラムや制御プログラムなどを実行してＭＦＰ１００全体の動作を制御するプロセッサーである。制御部１８０は、スキャナー制御部１８１、画像形成制御部１８２、ＦＡＸ制御部１８３、通信制御部１８４、ＲＡＭ（Ｒａｎｄｏｍ  Ａｃｃｅｓｓ  Ｍｅｍｏｒｙ）１８５、ＲＯＭ（Ｒｅａｄ−Ｏｎｌｙ  Ｍｅｍｏｒｙ）１８６、画像処理部１８７、メモリー容量管理部１８８、搬送ローラー制御部１８９、パネル操作制御部１９０、ＨＤＤ制御部１９１、システム制御部１９２を備えている。また、これらは、データバス１９３に接続されている。
【００２７】
スキャナー制御部１８１は、スキャナー部１７０の読み取り動作を制御する。画像形成制御部１８２は、画像形成部１２０の印刷動作を制御する。ＦＡＸ制御部１８３は、ＦＡＸ部１７１によるデータの送受信動作を制御する。通信制御部１８４は、Ｉ／Ｆ１７２を介し、図示しないネットワーク経由でのデータなどの送受信の制御を行う。
【００２８】
ＲＡＭ１８５は、プログラムを実行するためのワークメモリーである。また、ＲＡＭ１８５は、画像処理部１８７によって画像処理された印刷データを記憶する。ＲＯＭ１８６には、各部の動作チェックなどを行う制御プログラムが記憶されている。画像処理部１８７は、たとえば印刷ジョブに対する画像処理（ラスタライズ）を行う。なお、画像処理部１８７は、コピージョブやＦＡＸジョブなどに対しても、画像処理（ラスタライズ）を行う。また、画像処理部１８７は、画像処理（ラスタライズ）したデータをＲＡＭ１８５に記憶させる。
【００２９】
メモリー容量管理部１８８は、ＲＡＭ１８５のメモリー残容量（未使用領域の容量）を管理する。また、メモリー容量管理部１８８は、管理しているＲＡＭ１８５のメモリー残容量を、システム制御部１９２に通知する。搬送ローラー制御部１８９は、搬送部１５０の駆動を制御する。
【００３０】
パネル操作制御部１９０は、パネル部１７３の表示動作を制御する。また、パネル操作制御部１９０は、パネル部１７３を介し、印刷、コピー、ＦＡＸ、ネットワーク経由でのデータ送受信などの開始などを受け付け、システム制御部１９２に通知する。また、パネル操作制御部１９０は、パネル部１７３を介し、フィニッシャー２００のステープル、紙折り、穴あけパンチなどの後処理の設定を受け付け、システム制御部１９２に通知する。また、パネル操作制御部１９０は、パネル部１７３を介し、ステープル処理に伴う印刷出力において、部数の設定を受け付け、システム制御部１９２に通知する。また、パネル操作制御部１９０は、パネル部１７３を介し、印刷出力において、束保障をするかしないかの設定を受け付け、システム制御部１９２に通知する。ＨＤＤ制御部１９１は、ＨＤＤ１７４に対するデータの読み出し及び書き込みなどを制御する。
【００３１】
システム制御部１９２は、各部の連携動作などを制御する。システム制御部１９２は、主に、パネル操作制御部１９０からの通知に基づき、フィニッシャー２００のステープル、紙折り、穴あけパンチなどの後処理を制御する。また、システム制御部１９２は、パネル操作制御部１９０からの、印刷出力において、束保障をするとした通知に基づき、画像処理部１８７に対して印刷データのサイズを小さくするように制御する。この場合、システム制御部１９２は、メモリー容量管理部１８８が管理しているＲＡＭ１８５のメモリー残容量に基づき、画像処理部１８７に対して印刷データのサイズを指定する。なお、システム制御部１９２は、メモリー容量管理部１８８が管理しているＲＡＭ１８５のメモリー残容量に応じたサイズとなるように、画像処理部１８７に対して印刷データのサイズを指定してもよい。また、印刷データのサイズは、たとえば解像度に関わるものである。具体的には、例えば、システム制御部１９２は、ＲＡＭ１８５のメモリー残容量未満となる印刷データのサイズの内、最も大きなサイズを指定しても良い。
【００３２】
次に、図３を参照し、システム制御部１９２による印刷制御について説明する。なお、以下においては、印刷処理された用紙１１１に対し、フィニッシャー２００によりステープル処理が行われる場合として説明する。また、以下においては、用紙ジャムなどの発生に伴って印刷が再開される際、中間トレイ２２１に搬送された印刷済みの用紙１１１が取り除かれている場合として説明する。
【００３３】
（ステップＳ１０１）
システム制御部１９２は、ステープル処理開始かどうかを判断する。
この場合、システム制御部１９２は、パネル操作制御部１９０からのステープルの設定の通知を受け取るまで待ち（ステップＳ１０１：Ｎｏ）、パネル操作制御部１９０からのステープルの設定の通知を受け取ると、ステープル処理開始と判断し（ステップＳ１０１：Ｙｅｓ）、ステップＳ１０２に移行する。
【００３４】
（ステップＳ１０２）
システム制御部１９２は、部数の設定が有るかどうかを判断する。
この場合、システム制御部１９２は、パネル操作制御部１９０からの部数の設定の通知を受け取るまで待ち（ステップＳ１０２：Ｎｏ）、パネル操作制御部１９０からの部数の通知を受け取ると、部数の設定が有ると判断し（ステップＳ１０２：Ｙｅｓ）、ステップＳ１０３に移行する。
【００３５】
（ステップＳ１０３）
システム制御部１９２は、束保障が設定されたかどうかを判断する。
この場合、システム制御部１９２は、パネル操作制御部１９０からの束保障の設定の通知が有れば束保障が設定されたと判断し（ステップＳ１０３：Ｙｅｓ）、ステップＳ１１０に移行する。
これに対し、システム制御部１９２は、パネル操作制御部１９０からの束保障の設定の通知が無ければ束保障が設定されていないと判断し（ステップＳ１０３：Ｎｏ）、ステップＳ１０４に移行する。
【００３６】
（ステップＳ１０４）
システム制御部１９２は、いずれかの給紙カセット１１２ａ〜１１２ｄからの給紙を開始させる。なお、システム制御部１９２は、給紙カセット１１２ａ〜１１２ｄの指定があれば、指定された給紙カセット１１２ａ〜１１２ｄからの給紙を開始させる。
【００３７】
（ステップＳ１０５）
システム制御部１９２は、用紙ジャムが発生したかどうかを判断する。
この場合、システム制御部１９２は、搬送ローラー制御部１８９からの用紙ジャムの発生の通知が無ければ用紙ジャムが発生していないと判断し（ステップＳ１０５：Ｎｏ）、ステップＳ１０７に移行する。
これに対し、システム制御部１９２は、搬送ローラー制御部１８９からの用紙ジャムの発生の通知が有れば用紙ジャムが発生したと判断し（ステップＳ１０５：Ｙｅｓ）、ステップＳ１０６に移行する。
【００３８】
（ステップＳ１０６）
システム制御部１９２は、用紙ジャムの発生した用紙１１１が取り除かれた後、搬送ローラー制御部１８９からの用紙ジャムの発生無しの通知を受け取ると、画像形成制御部１８２を介し、画像形成部１２０に対して用紙ジャムの発生したページからの印刷を開始させる。
【００３９】
（ステップＳ１０７）
システム制御部１９２は、ｎページ目の印刷が完了したかどうかを判断する。
この場合、システム制御部１９２は、画像形成制御部１８２からのｎページ目の印刷が完了したことを示す通知が無ければｎページ目の印刷が完了していないと判断し（ステップＳ１０７：Ｎｏ）、ステップＳ１０５に戻る。
これに対し、システム制御部１９２は、画像形成制御部１８２からのｎページ目の印刷が完了したことを示す通知が有ればｎページ目の印刷が完了したと判断し（ステップＳ１０７：Ｙｅｓ）、ステップＳ１０８に移行する。
ここで、たとえば部数がたとえば５部であり、印刷する枚数がたとえば２０ページであるとき、たとえば１ページ目が５部分印刷されると、画像形成制御部１８２が１ページ目の印刷が完了したことを示す通知をシステム制御部１９２に通知する。
【００４０】
（ステップＳ１０８）
システム制御部１９２は、ＲＡＭ１８５に記憶されている１ページ目の印刷データを消去する。
ここで、システム制御部１９２は、束保障の設定が無ければ、印刷する枚数が２０ページであっても、ＲＡＭ１８５にたとえば１ページ毎の印刷データを記憶させる。すなわち、フィニッシャー２００をサポートするＨＤＤ又はＳＳＤなどの記憶デバイスを搭載していない場合、印刷データの記憶はＲＡＭ１８５の空き領域となる。ただし、ＲＡＭ１８５の記憶容量は、装置の制約上、ＨＤＤ又はＳＳＤなどに比べて小さい。
また、ＲＡＭ１８５は、プログラムを実行するためのワークメモリーである。このため、ＲＡＭ１８５に、２０ページ分の印刷データをまとめて記憶させる領域を確保できないことが多い。この場合、システム制御部１９２は、たとえば印刷するページの印刷データを記憶させ、印刷が完了したら、印刷が完了した印刷データを消去して次に印刷するページの印刷データを記憶させるという処理を実行する。
【００４１】
（ステップＳ１０９）
システム制御部１９２は、束排出が完了したかどうかを判断する。
この場合、システム制御部１９２は、フィニッシャー２００側からの束排出が完了したことを示す通知が無ければ束排出が完了していないと判断し（ステップＳ１０９：Ｎｏ）、ステップＳ１０５に戻る。
これに対し、システム制御部１９２は、フィニッシャー２００側からの束排出が完了したことを示す通知が有れば束排出が完了したと判断し（ステップＳ１０９：Ｙｅｓ）、処理を終了する。
ここで、束排出の完了とは、フィニッシャー２００によるステープル処理が５部に設定されていた場合、５部分の束排出が行われたことを意味する。
【００４２】
（ステップＳ１１０）
システム制御部１９２は、ステップＳ１０３で束保障が設定されたと判断すると、メモリー残容量を確認する。
この場合、システム制御部１９２は、メモリー容量管理部１８８が管理しているＲＡＭ１８５のメモリー残容量を受け取って、確認する。
【００４３】
（ステップＳ１１１）
システム制御部１９２は、印刷データのサイズを指定する。
この場合、システム制御部１９２は、たとえば印刷ジョブのデータサイズとＲＡＭ１８５のメモリー残容量とを確認し、画像処理部１８７に対して印刷ジョブを画像処理した際の印刷データのサイズがＲＡＭ１８５のメモリー残容量より小さくなるように指定する。
そして、システム制御部１９２は、画像処理部１８７が画像処理した印刷データをＲＡＭ１８５の空き領域に記憶させる。
【００４４】
（ステップＳ１１２）
システム制御部１９２は、いずれかの給紙カセット１１２ａ〜１１２ｄからの給紙を開始させる。なお、システム制御部１９２は、給紙カセット１１２ａ〜１１２ｄの指定があれば、指定された給紙カセット１１２ａ〜１１２ｄからの給紙を開始させる。
なお、画像形成部１２０による用紙１１１への印刷の際は、画像処理部１８７が印刷データのサイズを予め指定されているサイズに戻して、画像形成制御部１８２に与えてもよい。
【００４５】
（ステップＳ１１３）
システム制御部１９２は、用紙ジャムが発生したかどうかを判断する。
この場合、システム制御部１９２は、搬送ローラー制御部１８９からの用紙ジャムの発生の通知が無ければ用紙ジャムが発生していないと判断し（ステップＳ１１３：Ｎｏ）、ステップＳ１１５に移行する。
これに対し、システム制御部１９２は、搬送ローラー制御部１８９からの用紙ジャムの発生の通知が有れば用紙ジャムが発生したと判断し（ステップＳ１１３：Ｙｅｓ）、ステップＳ１１４に移行する。
【００４６】
（ステップＳ１１４）
システム制御部１９２は、用紙ジャムの発生した用紙１１１が取り除かれた後、搬送ローラー制御部１８９からの用紙ジャムの発生無しの通知を受け取ると、画像形成制御部１８２を介し、画像形成部１２０に対して部の先頭ページからの印刷を開始させる。
ここで、部の先頭ページからの印刷の開始は、用紙ジャムなどの発生に伴って印刷が再開される際、中間トレイ２２１に搬送された印刷済みの用紙１１１が取り除かれている場合である。中間トレイ２２１に搬送された印刷済みの用紙１１１が取り除かれているかどうかは、システム制御部１９２がフィニッシャー２００側からの状態を示す通知を確認することで、判断できる。
なお、中間トレイ２２１に搬送された印刷済みの用紙１１１が取り除かれていない場合は束保障が設定されている場合であっても、用紙ジャムの発生したページからの印刷が再開される。
【００４７】
（ステップＳ１１５）
システム制御部１９２は、最終ページの印刷が完了したかどうかを判断する。
この場合、システム制御部１９２は、画像形成制御部１８２からの最終ページの印刷が完了したことを示す通知が無ければ最終ページの印刷が完了していないと判断し（ステップＳ１１５：Ｎｏ）、ステップＳ１１３に戻る。
これに対し、システム制御部１９２は、画像形成制御部１８２からの最終ページの印刷が完了したことを示す通知が有れば最終ページの印刷が完了したと判断し（ステップＳ１１５：Ｙｅｓ）、ステップＳ１１６に移行する。
ここで、たとえば部数がたとえば５部であり、印刷する枚数がたとえば２０ページであるとき、２０ページを１束として５部分印刷されると、画像形成制御部１８２が最終ページの印刷が完了したことを示す通知をシステム制御部１９２に通知する。
【００４８】
（ステップＳ１１６）
システム制御部１９２は、束排出が完了したかどうかを判断する。
この場合、システム制御部１９２は、フィニッシャー２００側からの束排出が完了したことを示す通知が無ければ束排出が完了していないと判断する（ステップＳ１１６：Ｎｏ）。
これに対し、システム制御部１９２は、フィニッシャー２００側からの束排出が完了したことを示す通知が有れば束排出が完了したと判断し（ステップＳ１１６：Ｙｅｓ）、ステップＳ１１７に移行する。
【００４９】
（ステップＳ１１７）
システム制御部１９２は、ＲＡＭ１８５に記憶させた印刷データを消去し、処理を終了する。
【００５０】
このように、本実施形態では、システム制御部１９２により、画像処理部１８７での画像処理によるデータのサイズを指定し、ＲＡＭ１８５（メモリー）が記憶したデータに基づき、画像形成部１２０に対して印刷を行わせる。
【００５１】
すなわち、システム制御部１９２により、パネル部１７３を介し束排出の保障有りが設定された場合、たとえば印刷ジョブ（ジョブ）のデータサイズとメモリー容量管理部１８８が管理しているＲＡＭ１８５（メモリー）の残容量とを確認し、画像処理部１８７での画像処理による印刷データのサイズを、ＲＡＭ１８５（メモリー）の残容量より小さくなるように指定し、印刷処理が中断した際、ＲＡＭ１８５（メモリー）に記憶させた印刷データに基づき、画像形成部１２０に対して部の先頭からの印刷を行わせる。
【００５２】
これにより、フィニッシャー（後処理機器）をサポートするＨＤＤ又はＳＳＤなどの記憶デバイスを搭載していない場合であっても、用紙ジャムなどの発生に伴って印刷が再開される際、中間トレイ２２１に搬送された印刷済みの用紙１１１が取り除かれている場合は部の先頭からの印刷を行うことができる。
【００５３】
なお、システム制御部１９２により、画像処理部１８７での画像処理による印刷データのサイズを、ＲＡＭ１８５（メモリー）の残容量に応じて指定することで、画像処理による印刷データのサイズが必要以上に小さくなることを抑制できる。
【符号の説明】
【００５４】
１００  ＭＦＰ
１０１  本体
１１０  給紙部
１１０ａ  共有搬送路
１１１  用紙
１１２ａ〜１１２ｄ  給紙カセット
１１３  リフト板
１１４  押し上げ部材
１２０  画像形成部
１２０Ａ  プリンター部
１２１  画像形成ユニット（Ｍ）
１２２  画像形成ユニット（Ｃ）
１２３  画像形成ユニット（Ｙ）
１２４  画像形成ユニット（Ｂ）
１２５ａ〜１２５ｄ  １次転写ローラー
１２６  駆動ローラー
１２７  従動ローラー
１２８  中間転写ベルト
１２９  ２次転写ローラー
１３０  定着部
１３１  加熱ローラー
１３２  加圧ローラー
１５０  搬送部
１５０ａ  搬送路
１５１〜１５４  搬送ローラー部
１５５  繰り出しローラー
１６０  用紙給紙部
１６１  排紙トレイ
１７０  スキャナー部
１７１  ＦＡＸ部
１７２  Ｉ／Ｆ
１７３  パネル部
１７４  ＨＤＤ
１８０  制御部
１８１  スキャナー制御部
１８２  画像形成制御部
１８３  ＦＡＸ制御部
１８４  通信制御部
１８５  ＲＡＭ
１８６  ＲＯＭ
１８７  画像処理部
１８８  メモリー容量管理部
１８９  搬送ローラー制御部
１９０  パネル操作制御部
１９１  ＨＤＤ制御部
１９２  システム制御部
１９３  データバス
２００  フィニッシャー
２１０  本体
２１０ａ  搬送路
２１１〜２１２  搬送ローラー部
２２０  後処理部
２２１  中間トレイ
２２２  メイントレイ
【図１】
2017154376.tif 000003
【図２】
2017154376.tif 000004
【図３】
2017154376.tif 000005